(57)【要約】      （修正有）【課題】回転する高圧ノズルにのり網が絡まず、スムーズにのり網を洗浄することができるのり網洗浄装置の提供。【解決手段】高圧水供給用配管が分岐された一対の分岐管Ａを備え、該互いに対向する一対の分岐管Ａの先端に、当該分岐管Ａと連通する高圧水の吐出用通路３０が回転自在に設けられ、該吐出用通路３０に連通して回転噴射ノズル３が設けられ、該回転噴射ノズル３の噴射口３１，３２を除いて、該回転噴射ノズル３を覆うカバー３３が該回転噴射ノズル３に被着されてなる網洗浄装置１。【選択図】図２
2010088336.tif 000002
【特許請求の範囲】
【請求項１】
のり網を洗浄し、のり網に付着したのりを除去するための洗浄装置であって、該洗浄装置が
洗浄すべき網が通過する１または２以上の通路と、
該通路を通過する網に高圧水を噴射する１または２以上の回転噴射ノズルと、
前記高圧水を供給する高圧水供給用の配管とからなり、
前記高圧水供給用配管が分岐され、かつ互いに対向するように前記装置内に導入された一対の分岐管を備え、
該互いに対向する一対の分岐管の先端に、当該分岐管と連通する高圧水の吐出用通路が回転自在に設けられ、該吐出用通路に連通して前記回転噴射ノズルが設けられ、該回転噴射ノズルの噴射口を除いて、該回転噴射ノズルを覆うカバーが該回転噴射ノズルに被着されてなることを特徴とする網洗浄装置。
【請求項２】
前記カバーが、円盤形状のプレートからなることを特徴とする請求項１記載の装置。
【請求項３】
前記カバーが、矩形状のプレートからなることを特徴とする請求項１記載の装置。
【請求項４】
前記カバーが、回転噴射ノズルを覆う筐体であることを特徴とする請求項１記載の装置。
【発明の詳細な説明】
【技術分野】
【０００１】
本発明は網洗浄装置に関する。
【背景技術】
【０００２】
従来、のり業者は、海面に設置されたのり網（使用前の状態では１枚当たり約２ｋｇであるが、のりと水分を含んで約５０〜１００ｋｇにも達している）を船に引き上げ、該船を覆うような状態で、のり葉を船に装着されたロータで刈り取るという作業を２〜１５度繰り返すことによって、のりを回収している。
【０００３】
一方、のり網の大きさは、地域によって多少異なるが、約１．６ｍ×２０ｍの矩形状を呈しており、かなり大きい。そのうえ、のり網は、一辺がたとえば約１６ｃｍと全体の大きさにくらべて小さい、菱形などの格子状メッシュから構成されており、のりは、この小さい格子状のメッシュにへばりつくように付着しており、また、のり網の撚り目に食い込んでいるものもある。したがって、かなりの時間と労力をかけてのり網に付着したのりの洗浄・除去作業をおこなっても、のりが、のり網の繊維にしっかりと絡まりついているため、撚り目に食い込んだのりまで完全に除去することができず、かつのりは腐敗し易いため、異臭を放ったり、害虫が発生したりして再使用できる状態ではなくなる。このため、のり網は、回収業者により回収されて廃棄されたり、海中、山中に投棄されたりするので、環境に優しくないという問題があった。
【０００４】
たとえば大型のパルセータ式洗濯機で、回収されたのり網に付着したのりを除去しようとする試みもあるが、のり網に付着したのりを完全には除去できず、一度とれたのりが洗濯機中に残り、のり網に再び付着することもあり、やはりのりを落とすことは困難であり、さらに、洗濯後網を取り出したときに、網の長さが約２０ｍもあるため、網全体がもつれることが多いという問題があった。
【０００５】
また、大型洗濯機１台でのり網を洗浄するには、１枚で約３０分ほどかかってしまうため、のり網の洗浄は短時間で大量に処理することができないという問題もあった。
【０００６】
そこで、短時間でのり網を洗浄するための装置として、特許文献１に記載されるのり網洗浄装置が知られている。特許文献１に記載されたのり網洗浄装置は、筐体の出口側に設けられた駆動ローラと押えローラとの間にのり網を挟んで、のり網を筐体の入口から出口へ牽引する搬送手段と、のり網の搬送経路に向けて洗浄水を噴射する噴射部と、前記搬送経路の上方を覆う飛散防止カバーとを備え、前記噴射部は、左右方向に平行な軸周りに回転自在に軸支された回転体と、該回転体の周面に偏心して設けられた多孔状の噴射ノズルとを有し、噴射ノズルからの噴射力の反力により回転体が回転することを特徴としている（図１３参照）。
【０００７】
特許文献１ののり網洗浄装置は、上記構成により、のり網Ｎを高速で洗浄することを目的としている。特許文献１ののり網洗浄装置は、回転する高圧ノズル３５により、搬送経路内を移動するのり網Ｎを洗浄するものであるが、高圧ノズル３５に噴射されたのり網は、たとえ両側から同じ圧力で噴射したとしても、噴射された高圧水の圧力により、その格子状メッシュが搬送経路から飛び出してしまう。したがって、飛び出したのり網の格子状メッシュが、回転ノズル３５の先端に絡まってしまうという問題がある（図１４（ａ）および（ｂ）参照）。のり網Ｎが回転ノズル３５に絡まった場合には、のり網が破損してしまうか、回転ノズルの回転が止まってしまい、のり網が搬送経路内を進むことができず、洗浄不可能な状態になってしまい、本来の目的である短時間でののり網の洗浄が不可能である。さらに、駆動ローラが空回りしたり、駆動ローラにより引っ張られるのり網の力により、高圧ノズルの先端が破損してしまうという問題もある。
【０００８】
【特許文献１】実用新案登録第３１３３２７７号公報
【発明の開示】
【発明が解決しようとする課題】
【０００９】
そこで、本発明者らは、かかる事情に鑑みて、回転する高圧ノズルにのり網が絡まず、スムーズにのり網を洗浄することができるのり網洗浄装置の提供を目的とする。また、のり網の絡みによる人的労力、のり網の破損、高圧ノズルの破損等、メンテナンスの機会を減らすことができるのり網の洗浄装置の提供を目的とする。
【００１０】
また、本発明者らは、一度しか使用されていない網が、使用後、廃棄されているという現状と、資源の低消費（reduce）、再使用（reuse）、リサイクル（recycle）（低消費（reduce）、再使用（reuse）、リサイクル（recycle）の頭文字のＲを用いて３Ｒとも呼ばれている）が叫ばれている社会的ニーズに鑑みて、使用済みの網に付着した付着物を完全に除去することができ、かつ短時間に大量に網を洗浄し得るような洗浄装置を案出することを技術的課題としたのであり、のり網を破損せずに短時間で洗浄することにより、３Ｒの実現を図るものである。なお、本発明において、網とは、のり網、養殖用網、その他の網を含む概念である。
【課題を解決するための手段】
【００１１】
本発明の網洗浄装置は、網を洗浄し、網への付着物を除去するための洗浄装置であって、該洗浄装置が洗浄すべき網が通過する１または２以上の通路と、該通路を通過する網に高圧水を噴射する１または２以上の回転噴射ノズルと、前記高圧水を供給する高圧水供給用の配管とからなり、前記高圧水供給用配管が分岐され、かつ互いに対向するように前記装置内に導入された一対の分岐管を備え、該互いに対向する一対の分岐管の先端に、当該分岐管と連通する高圧水の吐出用通路が回転自在に設けられ、該吐出用通路に連通して前記回転噴射ノズルが設けられ、該回転噴射ノズルの噴射口を除いて、該回転噴射ノズルを覆うカバーが該回転噴射ノズルに被着されてなることを特徴とする。
【００１２】
また、前記カバーが、円盤形状のプレートからなることが好ましい。
【００１３】
また、前記カバーが、矩形状のプレートからなることが好ましい。
【００１４】
また、前記カバーが、回転噴射ノズルを覆う筐体であることが好ましい。
【発明の効果】
【００１５】
本発明によれば、のり網の洗浄装置において、絡み防止手段により、のり網が洗浄ノズルに絡むことを防止することができる。
【００１６】
また、のり網がノズルに絡まないので、短時間でのり網を洗浄することができる。さらに、のり網がノズルに絡むことによる、人的労力、のり網の破損、高圧ノズルの破損等のメンテナンスの機会を大幅に減らすことができる。
【発明を実施するための最良の形態】
【００１７】
以下、添付図面を参照しながら本発明の網洗浄装置（以下、単に洗浄装置という）を詳細に説明する。
【００１８】
図１は本発明の一実施の形態にかかわる洗浄装置の概略を示す図であり、図２は本発明ののり網洗浄装置に用いられる回転噴射ノズルおよびカバーを示す図であり、図３は本発明の回転噴射ノズルの一実施の形態を示す図であり、図４（ａ）および（ｂ）は本発明の
のり網洗浄装置に用いられるカバーの一実施の形態を示す図であり、図５は本発明ののり網洗浄装置に用いられるカバーの一実施の形態を示す図であり、図６は本発明ののり網洗浄装置に用いられるカバーの一実施の形態を示す図であり、図７は本発明ののり網洗浄装置に用いられる回転ノズルの一実施の形態を示す図であり、図８（ａ）は本発明の洗浄装置に用いられる挿通路を示す斜視図、（ｂ）は本発明の洗浄装置に用いられる挿通路の断面図であり、図９は本発明の洗浄装置の勾配の角度を説明するための図であり、図１０は本発明の洗浄装置に用いられるのり網分配手段を示す図であり、図１１は本発明の洗浄装置の一実施の形態を示す図であり、図１２は本発明ののり網洗浄装置の一実施の形態を示す図である。
【００１９】
図１〜４を参照すると、本実施の形態の洗浄装置１は、網を洗浄し、網への付着物を除去するための洗浄装置であり、金属製または合成樹脂製の洗浄室に洗浄されるべきのり網Ｎ１〜Ｎ３が通される通路２１、２２、２３が形成され、該洗浄室に羅着、溶接、熱融着など、従来より公知の固着手段によって固着、支持された１または２以上の回転噴射ノズル３と、高圧水を供給する高圧水供給用の配管Ｃとからなり、前記高圧水供給用配管Ｃが分岐され、かつ互いに対向するように前記装置１内に導入された一対の分岐管Ａを備え、互いに対向する一対の分岐管Ａの先端に、分岐管Ａと連通する高圧水の吐出用通路３０が分岐管Ａに対して回転自在に設けられ、吐出用通路３０に連通して回転噴射ノズル３が設けられ、回転噴射ノズル３の噴射口３１、３２の部分を除いて、回転噴射ノズル３を覆うカバー３３が回転噴射ノズル３に被着されている。
【００２０】
通路２は、洗浄室内部を貫いて形成され、のり網Ｎ１〜Ｎ３の洗浄中、入口から出口までのり網Ｎ１〜Ｎ３を支持する。通路２は、特に材質は限定されないが、金属製または合成樹脂製であることが好ましく、特にステンレスなどの滑りのいい素材が最適である。本実施の形態において、通路２１、２２、２３はのりが付着したのり網が導入される入口から洗浄後ののり網が退出される出口にかけて漸次高くなる勾配が形成されているが、通路２１、２２、２３は勾配を形成せず、床面と平行に形成しても構わない。通路２に、図１のように入口から出口にかけて勾配を設けることにより、洗浄されたのりが重力により入口方向へ向かって落ちるため、一度洗浄されたのりが再度付着しにくく、のり網に付着したのりを完全に除去することに寄与する。
【００２１】
また、通路２は、複数設けることができ、一度に大量ののり網を洗浄することができる。図１では、上下方向に３つの通路２１、２２、２３が形成され、それぞれのり網Ｎ１、Ｎ２、Ｎ３が導入される。このとき、のり網Ｎ１〜Ｎ３が絡まないように、のり網分配手段４を形成することができ、のり網分配手段４を介してのり網Ｎ１〜Ｎ３を別々の通路２１、２２、２３へ導入する。また、のり網Ｎ１〜Ｎ３をスムーズに通路２へ導入するために、ローラＲ１を設けることも可能である。なお、通路２の数は、図１のように３つに限定されるものではなく、１つでも２つでもよく、適宜設計変更が可能である。
【００２２】
通路２を通過するのり網Ｎ１〜Ｎ３は、洗浄室内の回転噴射ノズル３、たとえば高圧ジェット式ノズルにより、高圧水を噴射され、のり網に付着したのりが除去される。高圧水は、図示しないタンク内から供給され、高圧ポンプＰ（以下、単にポンプＰという）から配管Ｃ、吐出用通路３０を介して回転噴射ノズル３により噴射される。
【００２３】
除去されたのりは、回収機構９により回収され、その後脱水機（図示せず）にかけられ再利用される。この回収機構９により、洗浄後、のり網から除去されたのりを廃棄することなく、有効に利用することができ、資源の低消費（reduce）、再使用（reuse）、リサイクル（recycle）を実現することができる。回収されたのりは、たとえば、飼料、食用に加工されたり、肥料として加工することが可能である。
【００２４】
洗浄されたのり網Ｎ１〜Ｎ３は、通路２の出口から退出すると、入口側と同様にのり網分配手段４により分配され、のり網引き出し手段であるローラＲ２、Ｒ３を介して送られる。なお、本発明において、のり網引き出し手段は、ローラに限られることはなく、人力でも構わないし、のり網の引き出しが可能な公知の手段が含まれる。図１では、ローラＲ２はモータＭにより駆動力を付与され反時計回りに回転し、図１中の右方向へのり網が移送される。従動ローラであるＲ３が載置された台には、ガスダンパーＤが設けられ、のり網の厚みに従って、上下方向に揺動可能にされている。なお、ローラの数は２つに限定されることはなく、３つ以上のローラから構成することも可能である。また、上部に配設されたローラＲ２、下部に配設されたローラＲ３の形状は、たとえば円柱状が好適に採用されるが、この形状に限られない。たとえば、紡錘状や、鞍状の形状も採用し得る。
【００２５】
さらに、ローラＲ２、Ｒ３は、互いに接触するように配設されておりさえすればよく、必ずしも互いに平行に配設する必要はない（すなわち、互いにねじれの状態で配設することも可能である）。
【００２６】
そして、当該ローラＲ２、Ｒ３のうちの少なくともいずれかに人力（クランクによってトルクを発生させる）または動力（モータＭにより発生した回転トルクを、ベルトまたは歯車（図示されていない）により伝達する）により回転トルクが付与されるようにすることもできる。なお、モータＭにより発生した回転は、のり網の進行速度を調節するため、たとえば、インバータ、減速歯車機構などにより変速することも可能である。
【００２７】
また、下部に配設されたローラＲ３に対して、圧縮コイルバネ（または引張コイルバネ）や空気バネなどの従来より公知の付勢手段により付勢することにより、下部に配設されたローラＲ３に押圧力を付与することもできる。
【００２８】
また、本発明の装置は、たとえば装置本体の下部にローラを形成するなど、公知の手段により移動可能にすることができる。
【００２９】
つぎに、図２、図３を参照して、本発明に用いられる一実施の形態の回転噴射ノズル３について説明する。通路２を通過するのり網Ｎは、ポンプＰから配管Ｃ、分岐管Ａを介して供給される高圧水が回転噴射ノズル３により噴射されることにより洗浄される。図２における回転噴射ノズル３は、分岐管Ａの軸周りに回転し、吐出用通路３０である旋回腕の両端に設けられた、噴射孔を有する噴射部３１、３２により高圧水が噴射される。図２においては、１つの高圧ノズルあたり、噴射部が両端に２つずつ、計４つ設けられているが、噴射部の数は特に限定されるものではない。
【００３０】
図３に示されるように、噴射部３１、３２は、分岐管Ａの軸Ｘに対して互いに逆方向に角度θ（θ＝３〜２５度）だけ噴射方向が偏向されている。このように角度θだけ偏向させることにより回転噴射ノズル３に回転力を発生させることができ、回転数は１分間で５０〜３００回転させることにより、洗浄室内の広い範囲に亘って噴射することができ、かつ、のりを落としやすくなるという利点を有する。なお、ノズルは、本実施の形態においては、噴射方向を偏向させることにより、回転力を得ているが、本発明におけるノズルは、モータ等の外部からの動力により、回転力を得る回転ノズルであってもよく、特にノズルの種類は限定されることはない。
【００３１】
回転噴射ノズル３は、のり網Ｎの通路２の左右方向から約１０〜１５０ｋｇ／ｃｍ2の高圧水（より好ましくは、８０〜１２０ｋｇ／ｃｍ2の高圧水）を噴射し、のり網Ｎを洗浄する。回転噴射ノズル３の本数、位置は、特に限定されることはなく、所望の洗浄能力に応じて適宜本数の増減が可能であり、回転噴射ノズルの位置も、上下から噴射できる位置に設けることもできるし、通路２のあらゆる方向から噴射できる位置に設けることも可能である。のり網Ｎの進行方向に沿って、複数の回転噴射ノズル３を設けることにより、洗浄能力を適宜調整することが可能である。
【００３２】
図２に示されるように、回転噴射ノズル３には、該回転噴射ノズル３を覆うカバー３３が回転噴射ノズル３に被着されている。カバー３３は、図４に示されるように、回転噴射ノズルの噴射口を除いて、回転噴射ノズル３を覆っている。図４では、カバー３３は、円盤形状のプレートが、分岐管Ａと吐出用通路３０が連結する連結部における回転噴射ノズル３の噴射方向に接続されており、吐出用通路３０である旋回腕とともに回転する。カバー３３と回転噴射ノズル３の接続は、溶接、熱融着、螺着等の公知の固着手段により固着することができ、特にその接続方法は限定されることはない。カバー３３の材質は、防錆、重量の観点から、ステンレス等が好ましいが、合成樹脂、その他の金属であっても構わない。
【００３３】
当該カバー３３を設けることにより、回転噴射ノズル３から噴射された高圧水により、通路２からのり網Ｎがはみ出してしまった場合でも、当該カバー３３が回転噴射ノズル３を覆い、吐出用通路３０である旋回腕を覆っているので、回転噴射ノズル３にのり網Ｎが絡まず、カバー３３は、絡み防止手段として機能する。図４（ａ）の円盤形状であることにより、のり網が引っかかることがなく、引っかかることがないので、回転噴射ノズルをのり網が洗浄される通路２に近接して配置することが可能であり、装置全体を小型化することが可能になる。さらに、引っかかることがなく、回転噴射ノズル３を通路に近接して配置することができるので、噴射圧力を減らすことも可能である。なお、カバー３３は、円盤形状のプレートに限られることはなく、三角形、矩形状、楕円、多角形等の形状を呈したプレートであっても構わない。この際、当該三角形、矩形状、楕円、多角形等の形状を呈したプレートは、吐出用通路３０である旋回腕の回転する部分全体が覆われる大きさに形成してもよいし、旋回腕だけが覆われるようにすることもできる。
【００３４】
図４（ａ）では、カバー３３は、回転噴射ノズル３の噴射部３１および３２の傾きに応じて、カットされた切り欠き部３４が設けられているが、回転噴射ノズルは、図３に示されるノズルに限られないので、切り欠き部３４の位置は、図に示す位置に限られない。また、図５に示されるように、ノズルの噴射部３１、３２の形状に対応した、複数の孔を円盤形状のプレートに設けてもよい。
【００３５】
図６は、カバー３３の他の態様を示す図である。図６のカバー３３は、回転噴射ノズル３の吐出用通路３０、噴射部３１、３２が筐体に収納されるように形成されている。当該筐体の形状は特に限定されるものではないが、最小限の大きさになるように、直方体にすることが好ましい。さらに、カバー３３である当該筐体にのり網が絡まりにくくするために、筐体の自由端側をカットしたり、丸みを帯びさせることも可能である。
【００３６】
また、図４および図６のカバー３３を併用することも可能である。また、図４の円盤形状のプレートは、噴射方向に形成されているが、噴射方向だけでなく、ノズル全体を覆うように円筒状の筐体とすることも可能である。
【００３７】
図７は、回転噴射ノズルの他の形態を示す図である。回転噴射ノズル５は、分岐管Ａの周りを回転部５２が回転する。回転部５２に設けられた噴射部５１から高圧水が噴射され、噴射部５１は、回転部５２の周方向に向かって偏向しており、回転部５２の外周より広い範囲への噴射が可能である。当該回転噴射ノズル５にも、カバー３３を設けることが可能である。
【００３８】
次に図８（ａ）および（ｂ）を参照して、通路２を説明する。通路２は、のり網Ｎが通過する通路であり、のり網が通過可能、洗浄可能であればその形状は特に限定されないが、図２のように、回転噴射ノズル３により高圧水が噴射する箇所が露出するように一部が切り欠いて形成されている。図８では、円筒状通路７の間に、切欠き通路部８が形成されている。本発明において、切欠き通路部８とは、回転噴射ノズル３による高圧水をのり網Ｎに噴射するために、通路の一部分が切り欠かれている部分をいい、たとえば高圧ノズルの噴射箇所のみが切り欠かれている部分や、図５のように略環状部材の間に形成された空隙まで含む概念である。
【００３９】
当該切欠き部８には、のり網を保持する保持手段を設けることができ、図８（ａ）では、略環状部材６が、のり網Ｎの進行方向に対して垂直な面上に複数連続して設けられることにより、のり網Ｎを保持する。複数の略環状部材６は、溶接または熱融着することにより、円筒状通路７に固着されているが、固着手段は、螺子での螺着など公知の固着手段であれば、特に限定されることはない。略環状部材６および円筒状通路７は、金属製または合成樹脂製であることが好ましいが、素材は特に限定されることはない。また、保持手段は、略環状部材６の形状に限られることはなく、略矩形状、略多角形状であってもよい。
【００４０】
図８（ａ）のように通路２が略環状部材６を含み、円筒状通路７と略環状部材６とが交互に配設されることにより、円筒状通路７をのり網Ｎが通過するときに、網の結び目による抵抗を低減することができる。また、略環状部材６および円筒状通路７は、図８（ｂ）に示されるように、網の結び目によるのり網Ｎの進行方向に対する抵抗を低減するために、のり網の進行方向に対して面取りがされ、丸みを帯びている。
【００４１】
また、通路２に仕切り板を設けると、飛び散ったのりが洗浄後ののり網に付着するのを防ぐことができるという利点がある。仕切り板は、通路２の上部、下部、隣接する高圧ノズルと高圧ノズルの間等に設けることができるが、特に設置場所は限定されない。また、本発明の装置の上部に、のり網の飛散を防止するための飛散防止カバーを設けることもできる。
【００４２】
つぎに、図９（ａ）および（ｂ）を参照して、通路２の入口側から出口側にかけて形成された勾配について説明する。図９（ａ）は、洗浄装置１自体を、通路２の出口側が高くなるように傾けたものであり、図９（ｂ）は、洗浄装置１自体は傾けず、通路２のみを傾けて勾配を形成したものである。勾配の形成方法は、特に限定されるものではなく、のり網の洗浄箇所のみに勾配を形成することも可能である。このように、通路２に勾配を設けることにより、除去されたのりが、再度のり網に付着しないようにすることができる。勾配の角度は、特に限定されないが、θ＝３〜３０°であることが好ましく、さらに好ましくは４〜６°である。なお、勾配は本発明において、必須のものではなく、床面に対して、勾配を設けないようにすることもできる。
【００４３】
つぎに、図１０を参照し、のり網分配手段４について説明する。のり網分配手段４は、通路２に導入し、通路２から退出するのり網Ｎがもつれないように、複数ののり網Ｎを誘導するための手段である。図７では、梯子状の形状を呈しており、それぞれの開口部にのり網が導入され、退出することにより、のり網Ｎが、それぞれ離れた入口、出口から出入りするので通路の入口側、出口側でのり網同士がもつれたり、絡まったりすることがなくなる。図１０では、梯子状の形状を呈しているが、のり網分配手段４は、特に形状が限られることはない。
【００４４】
また、図１２に示されるように、ノズルから噴射される高圧水を、のり網Ｎの進行方向に対して逆らうように、回転噴射ノズル３およびカバー３３を傾斜させることにより、さらにのりを洗浄しやすくすることもできる。
【実施例】
【００４５】
図１および図１１に示されるような、通路２が上下方向に３つ設けられ、高圧ノズルが左右に３箇所ずつ設けられた洗浄装置１を用いて、３箇所でのりの洗浄をした。入口側の２箇所の洗浄箇所には、８０ｋｇ／ｃｍ2の高圧水を噴射する回転噴射ノズル３（旋回腕の長さが１７０ｍｍ）を左右に２箇所ずつ設け、出口側の洗浄箇所には、５０ｋｇ／ｃｍ2の高圧水を噴射する高圧ノズル５を左右に設けた。通路２には、直径７０ｍｍのステンレス製の円筒状通路７と直径５０ｍｍの略環状部材６を交互に設け、３箇所の洗浄箇所の長さは、２５０ｍｍであった。また、洗浄装置には、出口側が高くなるような勾配が角度２０°で形成されているものを使用した。洗浄されるのり網Ｎの大きさは、１枚が１．６ｍ×２０ｍであり、洗浄前ののり網の重さは、１枚あたり６０ｋｇであった。こののり網の端と端を結び、１０枚ののり網を一列につなぎ、それぞれの通路を通過させた。したがって、通路が３つであるので、合計３０枚ののり網を洗浄した。回転噴射ノズル３、５にカバー３３を設けて洗浄を行なった。以下、洗浄方法を説明する。
【００４６】
（１）まず、通路２の出口側からフック付ワイヤーを入口側に通し、洗浄されるべきのり網の四隅から伸ばされた糸にフックを引っ掛け、入口側ののり網分配手段の開口部、挿通路２、出口側のり網分配手段、ローラＲ２、Ｒ３の間を通し、３枚ののり網を洗浄可能な状態にした。
【００４７】
（２）モータＭを駆動し、ローラＲ２を回転させ、のり網Ｎを進行させると同時に、ポンプＰからの高圧水を回転噴射ノズル３および回転噴射ノズル５により噴射した。回転噴射ノズル３および５のカバー３３により、のり網に噴射された高圧水によりはみ出たのり網が引っかかることを防ぎ、スムーズにのり網Ｎを移送することができた。
【００４８】
（３）通路２内を通過するのり網Ｎ１〜Ｎ３は、まず第１の洗浄部で、粗洗浄を行なった。粗洗浄は、回転噴射ノズル３が回転することにより、略環状部材を通過するのり網Ｎ１〜Ｎ３の全てに、高圧水を噴射することができ、表面についたのりを除去した。
【００４９】
（４）粗洗浄後、円筒状通路を通り、第２の洗浄部において、中間洗浄を行なった。中間洗浄では、粗洗浄と同様に、回転噴射ノズル３が回転することにより、略環状部材６を通過するのり網Ｎ１〜Ｎ３の全てに、高圧水を噴射し、のりを除去した。
【００５０】
（５）中間洗浄後、円筒状通路７を通り、第３の洗浄部において、すすぎ洗浄を行なった。すすぎ洗浄は、回転噴射ノズル５により行ない、のり網Ｎ１〜Ｎ３を洗浄した。
【００５１】
その結果、３０枚ののり網の洗浄を３０分で行なうことができ、１枚あたり１分ですることができた。さらに、洗浄前にのり網に付着したのりは、洗浄後はほとんどのり網に残っておらず、洗浄後の１枚あたりの重さは、２．６ｋｇとなった。のり網の撚り目にも、のりが残っておらず、のりを完全に除去することができ、のりの臭いも無くなった。
【００５２】
さらに、使用した水の量は、回転噴射ノズルの水量（６箇所の高圧ノズルの合計）が１５０Ｌ／分であり、３０枚ののり網を洗浄するのに、４５００Ｌの水を消費した。洗濯機での洗浄では、１枚ののり網を洗浄するのに、４２０Ｌ／分の水を消費し、１枚あたり３０分かかるので、３０枚ののり網を洗浄するのに４２０×３０×３０＝３７８０００Ｌの水を必要とする。本発明の装置を用いることにより、大幅に水量を節約することがわかった。
【００５３】
また、カバー３３により、回転噴射ノズル３および５を通路２に近接して配置することが可能になり、通路２の幅が５ｃｍの場合、対向する回転噴射ノズルの先端同士の間隔を６〜７ｃｍまで近づけることができ、装置全体を小型化することができた。
【図面の簡単な説明】
【００５４】
【図１】本発明の一実施の形態にかかわる洗浄装置の概略を示す図である。
【図２】本発明ののり網洗浄装置に用いられる回転噴射ノズルおよびカバーを示す図である。
【図３】本発明の回転噴射ノズルの一実施の形態を示す図である。
【図４】（ａ）および（ｂ）は本発明ののり網洗浄装置に用いられるカバーの一実施の形態を示す図である。
【図５】本発明ののり網洗浄装置に用いられるカバーの一実施の形態を示す図である。
【図６】本発明ののり網洗浄装置に用いられるカバーの一実施の形態を示す図である。
【図７】本発明ののり網洗浄装置に用いられる回転ノズルの一実施の形態を示す図である。
【図８】（ａ）は本発明の洗浄装置に用いられる挿通路を示す斜視図、（ｂ）は本発明の洗浄装置に用いられる挿通路の断面図である。
【図９】本発明の洗浄装置の勾配の角度を説明するための図である。
【図１０】本発明の洗浄装置に用いられるのり網分配手段を示す図である。
【図１１】本発明の洗浄装置の一実施の形態を示す図である。
【図１２】本発明ののり網洗浄装置の一実施の形態を示す図である。
【図１３】従来の洗浄装置を示す図である。
【図１４】従来の洗浄装置を示す図である。
【符号の説明】
【００５５】
１  洗浄装置
２、２１、２２、２３  通路
３、５  回転噴射ノズル
３０  吐出用通路
３１、３２  噴射部
３３  カバー
３４  切り欠き部
４  のり網分配手段
９  回収機構
Ａ  分岐管
Ｃ  配管
Ｄ  ダンパー
Ｍ  モータ
Ｎ  のり網
Ｈ  保持手段
Ｐ  ポンプ
Ｒ１、Ｒ２、Ｒ３  ローラ
【図１】
2010088336.tif 000003
【図２】
2010088336.tif 000004
【図３】
2010088336.tif 000005
【図４】
2010088336.tif 000006
【図５】
2010088336.tif 000007
【図６】
2010088336.tif 000008
【図７】
2010088336.tif 000009
【図８】
2010088336.tif 000010
【図９】
2010088336.tif 000011
【図１０】
2010088336.tif 000012
【図１１】
2010088336.tif 000013
【図１２】
2010088336.tif 000014
【図１３】
2010088336.tif 000015
【図１４】
2010088336.tif 000016